(57)【要約】【課題】本発明はチラシ情報の提供システムに関し、地域の住民に広く購買情報を提供することができるチラシ情報の提供システムを提供することを目的としている。【解決手段】商品情報提供者１が作成した新聞用のチラシ印刷情報をネットワーク４を経由してサイト運営社２に送付する送付手段と、前記商品情報提供者１から送信されてきたチラシ情報をサイト運営社２の情報データベースに登録する登録手段と、会員登録してある商品情報利用者３が登録されているチラシ情報を閲覧するための閲覧手段と、前記商品情報利用者３が閲覧したチラシ情報内の店舗名や商品名、価格を前記サイト運営社（サーバ）内のサーバに登録する登録手段と、を具備して構成される。【選択図】      図１
2004234294.tif 000002
【特許請求の範囲】
【請求項１】
商品情報提供者（端末）と、サイト運営社（サーバ）と商品情報利用者（端末）とがネットワークを介して接続されたシステムにおいて、
前記商品情報提供者（端末）が作成した新聞用のチラシ印刷情報をネットワークを経由してサイト運営社（サーバ）に送付する送付手段と、
前記商品情報提供者（端末）から送信されてきたチラシ情報をサイト運営社（サーバ）の情報データベースに登録する登録手段と、
会員登録してある商品情報利用者（端末）が登録されているチラシ情報を閲覧するための閲覧手段と、
前記商品情報利用者（端末）が閲覧したチラシ情報内の店舗名や商品名、価格を前記サイト運営社（サーバ）内のサーバに登録する登録手段と、
を具備することを特徴とするチラシ情報の提供システム。
【請求項２】
前記商品情報提供者（端末）が存在する場所情報を前記サイト運営社（サーバ）内の情報データベースに登録し、前記サイト運営社（サーバ）にアクセスした前記商品情報利用者（端末）の地域情報を照合し、前記商品情報提供者（端末）は、前記商品情報利用者（端末）に提供する店舗情報を地域レンジより選択して提供することを特徴とする請求項１記載のチラシ情報の提供システム。
【請求項３】
前記商品情報提供者（端末）は、前記サイト運営社（サーバ）に登録されている自社又は他社の商品名と購入動機となる価格の情報をネットワーク経由にて入手し、販売予定の商品と一致する場合には前記商品情報利用者（端末）にその旨の通知を行なうことを特徴とする請求項１記載のチラシ情報の提供システム。
【請求項４】
前記商品情報提供者（端末）は、前記サイト運営社（サーバ）に登録されている商品情報利用者（端末）に対して特定時間に行なわれるセールの情報の通知を行なうことを特徴とする請求項１記載のチラシ情報の提供システム。
【発明の詳細な説明】
【０００１】
【発明の属する技術分野】
本発明はチラシ情報の提供システムに関し、更に詳しくは新聞等の定期刊行物或いは契約による定期購読者にしか入手できなかった商品に関する情報を、幅広く提供できるようにしたチラシ情報の提供システムに関する。
【０００２】
【従来の技術】
地域の住人を対象とする商店や不動産の案内情報は、週末等セールス期間や提供時期から新聞による折り込み広告（チラシ）として提供されるのが通常である。従って、この種の地域住人で前記した情報の提供を受けられるのは新聞購読者等、限定されている。
【０００３】
従来のこの種のシステムとしては、特定又は不特定の者に対してチラシ情報を電子メールによって配信する技術がある（例えば特許文献１参照）。また、利用者とサーバとがネットワークを介して接続され、商品と安値情報を利用者に通知するようにする技術がある（例えば特許文献２参照）。
【０００４】
【特許文献１】
特開２００２−１４０６０８号公報（第５頁、第６頁、図１）
【特許文献２】
特開２００２−７８４３号公報（第５頁、図１）
【０００５】
【発明が解決しようとする課題】
前述したように、チラシは新聞等の定期刊行物に折り込まれて配達されるが、近年の新聞の定期購読数の減少等により、地域の住民に広く商品の購買情報を提供することは困難になってきている。
【０００６】
本発明はこのような課題に鑑みてなされたものであって、地域の住民に広く購買情報を提供することができるチラシ情報の提供システムを提供することを目的としている。
【０００７】
【課題を解決するための手段】
（１）請求項１記載の発明は、以下の通りである。図１は本発明の原理ブロック図である。図において、１は商品情報を提供する商品情報提供者（端末）、２は商品情報提供者（端末）１から送信されてくる商品情報を記憶し、利用者に提供するサイト運営社（サーバ）、３は商品情報を利用する商品情報利用者（端末）、４はこれら商品情報提供者（端末）１と、サイト運営社（サーバ）２と、商品情報利用者（端末）３間を接続するネットワークである。このネットワーク４としては、インターネットや公衆網等、既存のあらゆる種類のネットワークを利用することができる。５はサイト運営社（サーバ）２に接続される商品に関するあらゆる情報を記憶する情報データベース（ＤＢ）である。
【０００８】
このようなシステムにおいて、前記商品情報提供者（端末）１が作成した新聞用のチラシ印刷情報をそのままの形でネットワーク４を経由してサイト運営社（サーバ）２に送付する送付手段と、前記商品情報提供者（端末）１から送信されてきたチラシ情報をサイト運営社（サーバ）２の情報データベース５に登録する登録手段と、会員登録してある商品情報利用者（端末）３が登録されているチラシ情報を閲覧するための閲覧手段と、前記商品情報利用者（端末）３が閲覧したチラシ情報内の店舗名や商品名、価格を前記サイト運営社（サーバ）２内のサーバに登録する登録手段と、を具備している。
【０００９】
これにより、商品情報利用者（端末）３は、サイト運営社（サーバ）２にアクセスすることで、商品に関する情報を見ることができ、この結果、地域の住民に広く購買情報を提供することができる。
【００１０】
また、商品情報利用者（端末）３は、商品名及び取り扱い店舗による希望商品の底値情報等をサイト運営社（サーバ）２の情報データベース５に登録することができる。この情報の内容により、現在の価格に対する購入動機（緊急に必要ないので次まで待つ、又は底値の１０％以内なので購入する）を表示することができる。商品情報提供者（端末）１間では、商品の購入動機価格が他店も含めて判るので、同様な商品の販売時期の重複を回避することも可能となる。
【００１１】
本発明では、チラシを印刷業者に配布すると同時にサイト運営社（サーバ）２にも送信する。掲載時期と画面数によりサイト運営社（サーバ）２は商品情報提供者（端末）１に課金する。商品情報利用者（端末）３が閲覧する情報は、商品情報提供者（端末）１が作成したものに一切加工していないので、サイト運営社（サーバ）２側には加工負担の必要はない。
【００１２】
また、商品情報利用者（端末）３は、チラシ情報を見ることで、欲しい商品の情報（店舗名、商品名、価格）の記録を残すようになっている。この場合に、購入意図があるもののリストを作成し、ダウンロードして印刷することもできる。
【００１３】
この場合において、検索機能は、自分が記録した店舗内に限定することで他のサイト運営社（サーバ）の閲覧機会を増やす。記録した際に同時に自分が購入する動機を持つ価格を設定する。この価格になったら、商品情報提供者（端末）１側からの通知が受けられる。サイト運営社（サーバ）２は、この情報を入手することで時期販売価格の決定要素に利用することができる。
（２）請求項２記載の発明は、前記商品情報提供者（端末）１が存在する場所情報を前記サイト運営社（サーバ）２内の情報データベース５に登録し、前記サイト運営社（サーバ）２にアクセスした前記商品情報利用者（端末）３の地域情報を照合し、前記商品情報提供者（端末）１は、前記商品情報利用者（端末）３に提供する店舗情報を地域レンジより選択して提供することを特徴とする。
【００１４】
このように構成すれば、前記商品情報利用者（端末）３の場所情報をサイト運営社（サーバ）２の情報データベース５に登録しておくことにより、前記商品情報提供者（端末）１はサイト運営社（サーバ）２内の商品データベース５にアクセスし、商品情報利用者（端末）３に該当する地域の商品購買情報を提供することができる。
（３）請求項３記載の発明は、前記商品情報提供者（端末）１は、前記サイト運営社（サーバ）２に登録されている自社又は他社の商品名と購入動機となる価格の情報をネットワーク経由にて入手し、販売予定の商品と一致する場合には前記商品情報利用者（端末）３にその旨の通知を行なうことを特徴とする。
【００１５】
このように構成すれば、商品情報利用者（端末）３の購入商品と購入動機となる価格情報を入手して、販売予定の商品と一致する場合には、商品情報提供者（端末）１は商品情報利用者（端末）３にその旨の通知を行ない、商品の販売に寄与することができる。
（４）請求項４記載の発明は、前記商品情報提供者（端末）１は、前記サイト運営社（サーバ）２に登録されている商品情報利用者（端末）３に対して特定時間に行なわれるセールの情報の通知を行なうことを特徴とする。
【００１６】
このように構成すれば、販売セールの情報を商品情報利用者（端末）３に通知することで、商品の販売に寄与することができる。
【００１７】
また、会員の過去の購入インターバル情報を分析することにより、商品の枯渇前に案内を通知することが可能となり、特売品の効果的な販売と来店を促すことが可能となる。
【００１８】
一般に、商品名やメーカ名及び価格等の文字情報では、メーカ側の仕様変更や製造中止等の価格変更要因が判らないので、商品の画像情報が商品購入時の判断要因の大きな割合を占める。よって、本発明によれば、チラシ情報をわざわざ文字化することなしに、画像情報形式で商品情報の閲覧が可能になる。
【００１９】
【発明の実施の形態】
以下、図面を参照して本発明の実施の形態例を詳細に説明する。
【００２０】
図２は前記した情報データベース５の構成例を示す図である。図において、１１は店舗名を情報として記憶する店舗名情報データベース（ＤＢ）、１２は地図情報を記憶する地図情報データベース（ＤＢ）、１３は店舗の個別情報を記憶する店舗個別情報データベース（ＤＢ）、１４は顧客会員情報データベース（ＤＢ）である。ここで、顧客会員とは、図１の商品情報利用者（端末）３のことである。
【００２１】
店舗名情報データベース１１には、契約が有効な店舗情報が記憶される。また、地図情報データベース１２には、商品情報利用者（端末）３からアクセスが生じた場合に、その利用者地域の範囲内にある登録店舗情報を選択して提供するための地図情報が記憶される。店舗個別情報データベース１３には、店舗個別情報として、チラシ情報の開示日時情報が記憶される。顧客会員情報データベース１４には、商品情報利用者（端末）３の登録情報が記憶される。
【００２２】
顧客会員情報データベース１４には、会員個別情報データベース２０が含まれる。該会員個別情報データベース２０は、底値情報データベース２１と、購買情報データベース２２と、通知情報データベース２３から構成されている。底値情報データベース２１は、商品情報利用者（端末）３が閲覧したチラシ情報より購買意向のある商品の価格を登録するためのもので、商品の底値情報の調査用に使用され、購買情報データベース２２は、底値販売がなされなかった場合に、購買動機となり得る価格としての情報を登録するためのものであり、通知情報データベース２３は、購買情報に遭遇した場合にメール通知を受けたい場合に設定するためのものである。
【００２３】
図３は店舗情報データベース１１の構成例を示す図である。図に示すように、商品情報提供者（端末）名称３１と、連絡先情報（住所、電話番号）３２と、場所情報リンク情報３３と、サイト運営社（サーバ）との契約期間３４と、表示情報契約内容（記憶容量）３５と、登録管理番号（顧客ＩＤ＋日時情報）３６から構成されている。ここで、表示情報契約内容（記憶容量）３５とは、例えばＡ４サイズ２枚分だけサイト運営社（サーバ）２の情報データベース５に登録するという意味である。例えば、Ａ４で３枚分の商品情報を送ってきても、３枚目は契約違反であるので、無視される。
【００２４】
図４は地図情報データベース１２の構成例を示す図である。図に示すように、郵便番号情報４１とＧＰＳ情報４２から構成されている。図５は店舗個別情報データベース１３の構成例を示す図である。図に示すように、登録管理番号（顧客（商品情報提供者（端末））ＩＤ＋日時情報）４５と、閲覧開始日時４６と、閲覧終了日時４７より構成されている。
【００２５】
図６は顧客会員情報データベース１４の構成例を示す図である。顧客会員情報データベース１４は、商品情報利用者（端末）３の会員番号５０と、連絡先情報（住所、電話番号）５１と、住所情報（ＧＰＳ、郵便番号）５２と、メールアドレス情報５３と、顧客固有保存情報５４から構成されている。
【００２６】
６０は顧客固有保存情報５４の一部をなす会員個別情報データベースであり、店舗名称６１と、品名情報（名称、メーカ名）６２と、価格６３と、チラシ掲載時期６４と、購入動機価格と通知有無６５から構成されている。購入動機価格と通知有無６５は、ある価格以下であったら購入する希望がある旨を示す価格以下情報６５ａと、底値に対して±ｎ％以内であったら購入する希望がある旨を示す情報６５ｂから構成されている。
【００２７】
図７は、チラシ登録の流れを示すフローチャートである。商品情報提供者（端末）１は、自社端末上で画像や文字処理が行なえるソフトウェア（例えばＨＴＭＬ言語等）を用いてチラシ原稿を作成する（Ｓ１）。チラシ原稿が作成されたら、印刷業者に送付すると共に（Ｓ２）、サイト運営社（サーバ）２と接続する（Ｓ３）。
【００２８】
接続が完了したら、商品情報提供者（端末）１から契約に基づいた商品情報提供者（端末）１のＩＤ、閲覧有効期日情報及びチラシ原稿を送信する（Ｓ４）。そして、商品情報利用者（端末）３にて商品情報提供者（端末）専用アドレスに接続し、商品情報提供者（端末）専用のパスワードを入力し、一般公開前に登録したチラシ内容を確認する（Ｓ５）。
【００２９】
図８は商品情報利用者（端末）３の通常閲覧の流れを示すフローチャートである。先ず、利用者端末にてサイト運営社（サーバ）２のアドレスに接続する（Ｓ１）。サイト運営社（サーバ）２では、会員番号が入力されている場合には、顧客会員情報データベース１４（図２参照）を参照して登録内容と一致するかどうかを確認する（Ｓ２）。次に、サイト運営社（サーバ）２は会員番号から地域データを基に提供する店舗を選択する（Ｓ３）。
【００３０】
ステップＳ３で店舗が選択されたら、商品情報利用者（端末）３にその店舗の表示処理を行なう（Ｓ４）。この結果、商品情報利用者（端末）３には、チラシ情報と同時に所定の登録情報が表示される。商品情報利用者（端末）３は、表示されたチラシ内容を見て、商品と価格を登録したいのであれば入力する（Ｓ５）。この入力されたデータは、サイト運営社（サーバ）２に送信され、会員個別情報データベース２０（図２参照）に登録される。ここで、過去に登録したデータの参照操作を行なうと、サイト運営社（サーバ）２は過去に登録されているデータをロードし、商品情報利用者（端末）３の端末に表示する（Ｓ６）。
【００３１】
このように構成すれば、前記商品情報利用者（端末）３の場所情報をサイト運営社（サーバ）２の情報データベース５に登録しておくことにより、前記商品情報提供者（端末）１はサイト運営社（サーバ）２内の商品データベース５にアクセスし、商品情報利用者（端末）１に該当する地域の商品購買情報を提供することができる。
【００３２】
図９は商品情報利用者（端末）３の表示画面例を示す図である。図において、７０はチラシ情報表示領域、７１は登録欄である。７１ａは店舗選択項目ボタンで、このボタンをクリックすることにより、店舗を選択するメニューが表示され、利用者は希望の店舗を選択することができる。
【００３３】
希望の店舗が選択されると、その店舗のチラシ情報が領域７０に表示される。商品情報利用者（端末）３は、チラシ情報を見ながら、商品名ボタン７１ｂをクリックして希望の商品名をキーボードから入力する。また、その時の価格も価格ボタン７１ｃをクリックして入力する。また、購入動機価格ボタン７１ｄをクリックして値段がいくらであれば購入するかの価格を入力する。ここで、商品情報利用者（端末）３が登録ボタン７１ｅをクリックすると、入力したそれぞれの情報は、サイト運営社（サーバ）２側の会員個別情報データベース６０（図６参照）に記憶される。
【００３４】
ここで、表示されたチラシ情報の内容によって商品情報の記録（商品名と価格及び購入動機価格）を行なうには、画面上の登録欄７１に商品名７１ｂ、価格ボタン７１ｃ、購入動機価格ボタン７１ｄを入力し、登録ボタン７１ｅを操作することで、サイト運営社（サーバ）２に一連の情報が送られて会員個別情報として利用者データベース（図１２の８７参照）内に書き込まれる。
【００３５】
図１０は商品情報利用者（端末）３の初期登録の流れを示すフローチャートである。先ず商品情報利用者（端末）３にてサイト運営社（サーバ）２のアドレスに接続する（Ｓ１）。サイト運営社（サーバ）２は、この接続情報を受けると、当該商品情報利用者（端末）３に情報を送り、商品情報利用者（端末）３のディスプレイには、各種情報の登録を促すためのメニュー画面が表示される。商品情報利用者（端末）３は、そのメニューに従って画面に住所情報等を入力する（Ｓ２）。このようにして初期登録が終了すると、サイト運営社（サーバ）２は商品情報利用者（端末）３に対して新しく作成された会員番号を通知する（Ｓ３）。
【００３６】
以後、商品情報利用者（端末）３はこの会員番号を記憶しておき、サイト運営社（サーバ）２にアクセスする時に、この会員番号を入力する。ここで、会員番号は商品情報利用者（端末）３を特定するためのＩＤ（識別番号）として機能する。
【００３７】
図１１は商品情報提供者（端末）１の商品情報の通知の流れを示すフローチャートである。先ず、商品情報提供者（端末）１にてサイト運営社（サーバ）２のアドレスに接続する（Ｓ１）。そして、商品情報提供者（端末）１は、サイト運営社（サーバ）２から、顧客名称、登録されている商品名、価格情報を入手する（Ｓ２）。
【００３８】
そして、販売予定の商品価格と条件が一致するものがあれば、会員（商品情報利用者（端末））に対する通知（電子メールによる通知）を行なう旨の依頼をサイト運営社（サーバ）２に対して行なう（Ｓ３）。サイト運営社（サーバ）２は、商品情報利用者（端末）３に通知（メール）を送付する（Ｓ４）。商品情報利用者（端末）３は、ディスプレイを開いて商品情報提供者（端末）１からの電子メールによる通知を見ることができる。
【００３９】
このように構成すれば、前記商品情報利用者（端末）３の場所情報をサイト運営社（サーバ）２の情報データベース５に登録しておくことにより、前記商品情報提供者（端末）１はサイト運営社（サーバ）２内の商品データベース５にアクセスし、商品情報利用者（端末）１に該当する地域の商品購買情報を提供することができる。
【００４０】
また、本発明によれば、前記商品情報提供者（端末）１は、前記サイト運営社（サーバ）２に登録されている商品情報利用者（端末）３に対して特定時間に行なわれるセールの情報の通知を行なうことを特徴とする。
【００４１】
このように構成すれば、販売セールの情報を商品情報利用者（端末）３に通知することで、商品の販売に寄与することができる。
【００４２】
図１２はサイト運営社（サーバ）の構成例を示すブロック図である。図において、８１はネットワーク４（図１参照）と接続され、ネットワークとの通信を行なう通信処理部、８２は商品情報提供者（端末）１と商品情報利用者（端末）３との判別処理を行なう判別処理部、８３は商品情報利用者（端末）３に電子メールを送信するメール処理部である。
【００４３】
８５は判別処理部８２と接続され、情報の判別を行なう情報判別部、８４は判別処理部８２及び情報判別部８５と接続され、会員情報を管理する会員情報管理部、８６は情報判別部８５及びメール処理部８３と接続され、店舗名を管理する店舗名管理部である。８７は会員情報管理部８４と接続され、利用者に関する情報を記憶する利用者データベース（ＤＢ）、８８は店舗名管理部８６と接続され、商品情報提供者（端末）１の情報を記憶する提供社データベース（ＤＢ）である。このように構成された装置の動作を説明すれば、以下の通りである。
【００４４】
ネットワークから送信されてきた情報は、通信処理部８１で受信される。通信処理部８１で受信された情報は、判別処理部８２に送られる。判別処理部８２では、送られてきた情報が商品情報提供者（端末）に関するものであるか、商品情報利用者（端末）に関するものであるかを判別する。
【００４５】
その判別結果に基づいて、情報は会員情報管理部８４と情報判別部８５に送られる。情報判別部８５は、受信情報を店舗名管理部８６に送る。該店舗名管理部８６は受信した情報に基づき、提供者データベース８８の内容を更新する。一方、会員情報管理部８４は、受信した情報に基づいて利用者データベース８７の内容を更新する。また、メール処理部８３は、必要に応じて前記データベース８７、８８の内容を必要に応じて読み出して、商品情報利用者（端末）３に電子メールを送出する。なお、ここで示されている利用者データベース８７と提供社データベース８８は、図１の情報データベース５を機能毎に分割して示したものである。
【００４６】
以上、説明したように、本発明によれば、今まで新聞の定期購読者や店舗に赴いた人だけが入手できた地域店舗の商品情報が一般の人でも入手できるようになる。また、商品情報提供者（端末）側においても、チラシの印刷処理と同様の情報なので、特別の処理をかける必要もない。また、商品情報の提供が可能なので拡販の効果がある。また、特に来店者を対象としたタイムサービス等の限定販売を通知し、来店を促すことができるので、地域ビジネスの拡大に寄与するところが大きい。
【００４７】
【発明の効果】
以上説明したように、本発明によれば、以下の効果が得られる。
（１）請求項１記載の発明によれば、商品情報利用者（端末）は、サイト運営社（サーバ）にアクセスすることで、商品に関する情報を見ることができ、この結果、地域の住民に広く購買情報を提供することができる。
【００４８】
また、商品情報利用者（端末）は、商品名及び取り扱い店舗による希望商品の底値情報等をサイト運営社（サーバ）の情報データベースに記録することができる。この情報の内容により、現在の価格に対する購入動機（緊急に必要ないので次まで待つ、又は底値の１０％以内なので購入する）を表示することができる。商品情報提供者（端末）間では、商品の購入動機価格が他店も含めて判るので、同様な商品の販売時期の重複を回避することも可能となる。
（２）請求項２記載の発明によれば、商品情報利用者（端末）の場所情報をサイト運営社（サーバ）の情報データベースに登録しておくことにより、前記商品情報提供者（端末）はサイト運営社（サーバ）内の商品データベースにアクセスし、商品情報利用者（端末）に該当する地域の商品購買情報を提供することができる。
（３）請求項３記載の発明によれば、商品情報利用者（端末）の購入商品と購入動機となる価格情報を入手して、販売予定の商品と一致する場合には、商品情報提供者（端末）は商品情報利用者（端末）にその旨の通知を行ない、商品の販売に寄与することができる。
（４）請求項４記載の発明によれば、前記商品情報提供者（端末）は、前記サイト運営社（サーバ）に登録されている商品情報利用者（端末）に対して特定時間に行なわれるセールの情報の通知を行なうことを特徴とする。
【００４９】
このように構成すれば、販売セールの情報を商品情報利用者（端末）３に通知することで、商品の販売に寄与することができる。
【００５０】
また、会員の過去の購入インターバル情報を分析することにより、商品の枯渇前に案内を通知することが可能となり、特売品の効果的な販売と来店を促すことが可能となる。
【００５１】
このように、本発明によれば、地域の住民に広く購買情報を提供することができるチラシ情報の提供システムを提供することができる。
【図面の簡単な説明】
【図１】本発明の原理ブロック図である。
【図２】情報データベースの構成例を示すブロック図である。
【図３】店舗名情報データベースの構成例を示す図である。
【図４】地図情報データベースの構成例を示す図である。
【図５】店舗個別情報データベースの構成例を示す図である。
【図６】顧客会員情報データベースの構成例を示す図である。
【図７】チラシ登録の流れを示すフローチャートである。
【図８】利用者の通常閲覧の流れを示すフローチャートである。
【図９】利用者（端末）の表示画面例を示す図である。
【図１０】利用者の初期登録の流れを示すフローチャートである。
【図１１】提供者の商品情報の通知の流れを示すフローチャートである。
【図１２】サイト運営社（サーバ）の構成例を示すブロック図である。
【符号の説明】
１  商品情報提供者（端末）
２  サイト運営社（サーバ）
３  商品情報利用者（端末）
４  ネットワーク
５  情報データベース
【図１】
2004234294.tif 000003
【図２】
2004234294.tif 000004
【図３】
2004234294.tif 000005
【図４】
2004234294.tif 000006
【図５】
2004234294.tif 000007
【図６】
2004234294.tif 000008
【図７】
2004234294.tif 000009
【図８】
2004234294.tif 000010
【図９】
2004234294.tif 000011
【図１０】
2004234294.tif 000012
【図１１】
2004234294.tif 000013
【図１２】
2004234294.tif 000014